(57)【要約】【課題】配管を機器に簡便に接続でき、しかも安価である継手ユニットを提供する。【解決手段】本考案の継手ユニット１は、ネジ状接続部が設けられた機器３０に配管Ｔを接続するためのものであり、継手本体１０と弾性高分子材料製の配管固定用部材２０とを具備し、継手本体１０が、機器のネジ状接続部に螺着されるネジ部１１ａと配管固定用部材２０が取り付けられる配管固定用部材取付部１２とを有し、かつ、ネジ部１１ａの先端から配管固定用部材取付部２０の先端にかけて貫通孔１３が形成されたものであり、配管固定用部材２０が、継手本体挿入穴２１と、継手本体挿入穴２１の底部２１ａから継手本体挿入穴２１の底部２１ａの反対側の面２２ａにかけて貫通孔２２とが形成されたものであり、配管固定用部材２０の継手本体挿入穴２１に継手本体１０の配管固定用部材取付部１２が挿入されて、継手本体１０と配管固定用部材２０とが一体化されている。【選択図】図１
0003118769.tif 000002
【実用新案登録請求の範囲】
【請求項１】
ネジ状接続部が設けられた機器に配管を接続するための継手ユニットであって、
継手本体と弾性高分子材料製の配管固定用部材とを具備し、
継手本体が、機器のネジ状接続部に螺着されるネジ部と、配管固定用部材が取り付けられる配管固定用部材取付部とを有し、かつ、ネジ部の先端から配管固定用部材取付部の先端にかけて、前記配管の外径と略同等の内径の貫通孔が形成されたものであり、
配管固定用部材が、継手本体の配管固定用部材取付部が密着しながら挿入される継手本体挿入穴と、該継手本体挿入穴の底部から継手本体挿入穴の底部の反対側の面にかけて、前記配管の外径と略同等の内径の貫通孔とが形成されたものであり、
配管固定用部材の継手本体挿入穴に継手本体の配管固定用部材取付部が挿入されて、継手本体と配管固定用部材とが一体化されていることを特徴とする継手ユニット。
【考案の詳細な説明】
【技術分野】
【０００１】
本考案は、計装機器等の機器に配管を接続する際に使用される継手ユニットに関する。
【背景技術】
【０００２】
配管内に流体が流動する分析装置、実験装置、製造装置には、流量計、圧力計、弁などの各種計装機器が備え付けられている。一般的に、計装機器には、様々な配管径の接続に対応できるように、配管接続用の継手が取り付けられるようになっている。計装機器に継手が取り付けられるようになっていれば、継手の種類を変更するだけで、様々な配管径に容易に対応できる。
計装機器における継手の接続部が雌ネジである場合には、継手としては、例えば、一端に計装機器の雌ネジに螺着される雄ネジが形成され、他端に配管を接続する配管接続部が設けられ、かつ、一端から他端にかけて貫通孔が形成されたものが使用される（例えば、特許文献１参照）。この継手の配管接続部は、底部に配管を通す孔が形成された袋ナットと、袋ナットが螺着されるネジ部と、配管が通されると共に、袋ナットをネジ部に螺着した際に袋ナットおよびネジ部に密着して配管を固定するフェルールとを備えている。
【特許文献１】特開昭４７−２９８３号公報
【考案の開示】
【考案が解決しようとする課題】
【０００３】
しかしながら、従来の継手は、計装機器に配管を接続する際に、計装機器の雌ネジへの継手のねじ込み、配管接続部の袋ナットのねじ込みを必要とするため、配管を計装機器に接続する際の作業が簡便ではなかった。また、従来の継手は構造が複雑であるため、高価であり、その結果として、この継手を備えた装置のコストが高くなっていた。
本考案は、前記事情を鑑みてなされたものであり、配管を計装機器等の機器に簡便に接続することができ、しかも安価である継手ユニットを提供することを目的とする。
【課題を解決するための手段】
【０００４】
本考案の継手ユニットは、ネジ状接続部が設けられた機器に配管を接続するための継手ユニットであって、
継手本体と弾性高分子材料製の配管固定用部材とを具備し、
継手本体が、機器のネジ状接続部に螺着されるネジ部と、配管固定用部材が取り付けられる配管固定用部材取付部とを有し、かつ、ネジ部の先端から配管固定用部材取付部の先端にかけて、前記配管の外径と略同等の内径の貫通孔が形成されたものであり、
配管固定用部材が、継手本体の配管固定用部材取付部が密着しながら挿入される継手本体挿入穴と、該継手本体挿入穴の底部から継手本体挿入穴の底部の反対側の面にかけて、前記配管の外径と略同等の内径の貫通孔とが形成されたものであり、
配管固定用部材の継手本体挿入穴に継手本体の配管固定用部材取付部が挿入されて、継手本体と配管固定用部材とが一体化されていることを特徴とする。
【考案の効果】
【０００５】
本考案の継手ユニットは、配管を計装機器等の機器に簡便に接続することができ、しかも安価である。
【考案を実施するための最良の形態】
【０００６】
本考案の継手ユニットの一実施形態について説明する。本実施形態の継手ユニットは、雌ネジ（ネジ状接続部）が設けられた計装機器（機器）に配管を接続するためのものである。
図１に、本実施形態の継手ユニットを示す。本実施形態の継手ユニット１は、継手本体１０と円筒状の配管固定用部材２０とを具備するものである。
【０００７】
継手本体１０は、図２に示すように、計装機器の雌ネジに螺着される雄ネジ状のネジ部１１ａ、および、配管固定用部材２０が取り付けられる円筒状の配管固定用部材取付部１２を有するものである。
また、継手本体１０には、ネジ部１１ａの先端から配管固定用部材取付部１２の先端にかけて配管Ｔが密着しながら挿入される貫通孔１３が略中心に形成されている。ここで、継手本体１０の貫通孔１３に配管Ｔを密着しながら挿入するために、継手本体１０の貫通孔１３の内径が配管Ｔの外径と略同等になっている。
また、継手本体１０には、中央部の外周の一部に、継手本体１０を計装機器の雌ネジに螺着する際にスパナなどの工具などが嵌め合わされる平面状の工具嵌合面１４が形成されている。
【０００８】
継手本体１０の材質としては特に制限されないが、加工によって容易に目的の形状にできることから樹脂が好ましく、さらに、樹脂の中でも、耐食性の点から、フッ素樹脂が好ましい。フッ素樹脂としては、例えば、ポリ四フッ化エチレン（ＰＴＦＥ）、四フッ化エチレン−フルオロアルキルビニルエーテル共重合体（ＰＦＡ）などが挙げられる。また、フッ素樹脂は不純物が少なく、中継用管内を流れる流体の耐汚染性にも優れるという利点を有する。
【０００９】
配管固定用部材２０には、図３に示すように、継手本体１０の配管固定用部材取付部１２が密着しながら挿入される継手本体挿入穴２１が形成されている。また、継手本体挿入穴２１の底部２１ａから継手本体挿入穴２１の底部２１ａの反対側の面２２ａにかけて配管Ｔが挿通される貫通孔２２が略中心に形成されている。
【００１０】
配管固定用部材２０の貫通孔２２の内径は、配管Ｔの外径と略同等であるが、配管Ｔをより密着しながら挿入できることから、配管Ｔの外径以下になっていることが好ましく、さらには、配管Ｔを容易に貫通孔２２に挿入できることから、配管Ｔの外径より僅かに小さいことがより好ましい。
また、配管固定用部材２０の継手本体挿入穴２１に円筒状の配管固定用部材取付部１２を密着しながら挿入するためには、継手本体挿入穴２１における深さ方向に対して直交する断面が円形状であり、配管固定用部材２０の継手本体挿入穴２１の内径が配管固定用部材取付部１２の外径以下になっていればよい。配管固定用部材取付部１２を容易に継手本体挿入穴２１に挿入できる点では、配管固定用部材２０の継手本体挿入穴２１の内径が配管固定用部材取付部１２の外径より僅かに小さいことが好ましい。
【００１１】
配管固定用部材２０は弾性高分子材料製である。ここで、弾性高分子材料としては、例えば、シリコーンゴム、フッ素ゴム、エチレン−プロピレン共重合体ゴムなどのゴム材料などが挙げられる。これらの中でも、半透明であり、配管固定用部材取付部１２の挿入状態を視認できることから、シリコーンゴムが好ましい。
【００１２】
上記継手ユニット１により計装機器に接続される配管Ｔの材質としては特に制限されないが、配管Ｔ内を流動する流体が腐食性を有することもあるため、耐食性材料であることが好ましい。耐食性材料としては、例えば、フッ素樹脂、ステンレス鋼、ガラスなどが挙げられる。
【００１３】
上述した継手ユニット１を用いて配管Ｔを計装機器３０に接続する際には、まず、継手本体１０の雄ネジ状のネジ部１１ａを計装機器３０の雌ネジ３１に螺着する。次いで、配管固定用部材２０の貫通孔２２の全部に配管Ｔを挿入し、さらに、配管Ｔを継手本体１０の貫通孔１３の配管固定用部材取付部１２側の一部に挿入する。次いで、配管固定用部材２０の継手本体挿入穴２１に継手本体１０の配管固定用部材取付部１２を挿入して、継手本体１０と配管固定用部材２０とを一体化する（図１参照）。このようにして配管Ｔを計装機器３０に接続する。
また、他の手順として、まず、継手本体１０の雄ネジ状のネジ部１１ａを計装機器３０の雌ネジ３１に螺着した後、配管固定用部材２０の継手本体挿入穴２１に継手本体１０の配管固定用部材取付部１２を挿入する。次いで、配管固定用部材２０の貫通孔２２の全部に配管Ｔを挿入し、さらに、配管Ｔを継手本体１０の貫通孔１３の配管固定用部材取付部１２側の一部に挿入して、継手本体１０と配管固定用部材２０とを一体化することもできる。
【００１４】
この際、配管固定用部材２０の貫通孔２２の全部内に配管Ｔが挿入され、継手本体１０の貫通孔１３の一部内に配管Ｔが挿入され、配管固定用部材２０の継手本体挿入穴２１に継手本体１０の配管固定用部材取付部１２が密着しながら挿入されている。したがって、継手本体１０と配管固定用部材２０と配管Ｔとが互いに係合して、継手本体１０と配管固定用部材２０とが一体化されている。このように一体化された継手ユニット１によれば、配管Ｔ内を流動する流体の漏洩または配管Ｔ内への外気の混入を防止した上で、配管Ｔを計装機器３０に接続できる。
しかも、弾性高分子材料製の配管固定用部材２０は、配管Ｔおよび継手本体１０との摩擦力が大きく、その摩擦力によって配管Ｔおよび継手本体１０を保持しているため、配管Ｔおよび継手本体１０が継手本体１０から抜けにくくなっている。
【００１５】
また、配管固定用部材２０は弾性高分子材料製であり、容易に変形するため、上述した継手ユニット１を用いた配管Ｔの計装機器３０への接続では、僅かな力で配管固定用部材２０の継手本体挿入穴２１に継手本体１０の配管固定用部材取付部１２を挿入できる。そのため、配管Ｔを計装機器３０に簡便に接続することができる。
また、配管固定用部材２０を構成する弾性高分子材料製は不純物を含むため、これに流体が接触すると、流体を汚染するおそれがあるが、この継手ユニット１では、配管固定用部材２０によって確実に配管Ｔが固定されており、流体の漏洩が防止されているため、配管固定用部材２０による流体の汚染を防止できる。
さらに、継手本体１０は単純な構造であり、例えば、円筒体の切削加工などによって容易に作製することができ、配管固定用部材２０も簡単な成形加工によって作製することができるため安価である。したがって、継手ユニット１も安価である。
【００１６】
上述した継手ユニット１を配管Ｔと計装機器３０との接続に適用した場合には、配管Ｔ内を流動する流体の圧力がゲージ圧力で−７０〜＋５０ｋＰａであることが好ましく、−５０〜＋１０ｋＰａであることがより好ましい。流体の圧力がゲージ圧力で−７０ｋＰａ未満では、継手ユニット１にて配管Ｔ内に外気が混入することがあり、ゲージ圧力で＋５０ｋＰａを超えると、継手ユニット１にて流体が漏れ出すことがある。
【００１７】
継手ユニット１が接続される計装機器３０としては、例えば、流量計、圧力計等の計装機器、開閉弁、流量制御弁、切り換え弁等の弁などが挙げられる。
【００１８】
なお、本考案は上述した実施形態に限定されない。例えば、上述した実施形態では、計装機器のネジ状接続部が雌ネジであり、継手本体のネジ部が雄ネジであったが、計装機器３０のネジ状接続部３２が雄ネジであり、継手本体１０のネジ部１１ｂが雌ネジであっても構わない（図４参照）。継手本体のネジ部が雌ネジであっても、配管固定用部材によって配管を固定することにかわりはないため、上記実施形態と同じ効果を発揮する。
また、上述した実施形態では、継手本体１０に工具嵌合面１４が形成されていたが、工具嵌合面１４は必ずしも必要ではない。
【図面の簡単な説明】
【００１９】
【図１】本考案の継手ユニットの一実施形態を示す断面図である。
【図２】図１の継手ユニットを構成する継手本体を示す断面図である。
【図３】図１の継手ユニットを構成する配管固定用部材を示す断面図である。
【図４】本考案の継手ユニットの他の実施形態を示す断面図である。
【符号の説明】
【００２０】
１  継手ユニット
１０  継手本体
１１ａ，１１ｂ  ネジ部
１２  配管固定用部材取付部
１３  貫通孔
１４  工具嵌合面
２０  配管固定用部材
２１  継手本体挿入穴
２１ａ  底部
２２  貫通孔
Ｔ  配管
【図１】
0003118769.tif 000003
【図２】
0003118769.tif 000004
【図３】
0003118769.tif 000005
【図４】
0003118769.tif 000006